(57)【要約】【課題】振動の変化に対応して冷媒循環パイプにかかる応力を軽減する。【解決手段】洗濯機外枠３０内に弾性支持された外槽３３と、外槽３３内に回転可能に設けられた洗濯兼脱水槽３４と、洗濯兼脱水槽３４を回転させるモータ（駆動手段）３５と、洗濯兼脱水槽３４内の洗濯物を乾燥させる乾燥装置４１とを備え、乾燥装置４１は、圧縮機４２、吸熱器４４、放熱器４３、並びにこれらを連結する冷媒循環パイプ４５を有するヒートポンプ４１ａと、ヒートポンプ４１ａを収容するケース５３を有し、ケース５３と圧縮機４２の側部４２ａの間に、振動伝達を低減する防振手段５４を設け、防振手段５４の一部に隙間５５を設けたものである。【選択図】図１
2011167223.tif 000002
【特許請求の範囲】
【請求項１】
洗濯機外枠内に弾性支持された外槽と、前記外槽内に回転可能に設けられた洗濯兼脱水槽と、前記洗濯兼脱水槽を回転させる駆動手段と、前記洗濯兼脱水槽内の洗濯物を乾燥させる乾燥装置とを備え、前記乾燥装置は、圧縮機、吸熱器、放熱器、並びにこれらを連結する冷媒循環パイプを有するヒートポンプと、前記ヒートポンプを収容するケースを有し、前記ケースと前記圧縮機の側部の間に振動伝達を低減する防振手段を設け、前記防振手段の一部に隙間を設けた洗濯機。
【請求項２】
防振手段は、可撓性を有するリング状の弾性体とし、前記弾性体は、内壁の一部に圧縮機の側部に接触する接触部を設け、前記接触部の長さを前記弾性体と前記圧縮機の側部で形成される隙間の長さより小さくした請求項１記載の洗濯機。
【請求項３】
防振手段は、可撓性を有するリング状の弾性体とし、前記弾性体は、上面に圧縮機またはケースの振動を吸収する凹部を全周に設けた請求項１記載の洗濯機。
【請求項４】
防振手段は、可撓性を有するリング状の弾性体とし、前記弾性体は、圧縮機の側部と接触する接触部を設け、前記接触部は、根元から先端にいくにつれて薄く形成した請求項１記載の洗濯機。
【請求項５】
防振手段は、可撓性を有するリング状の弾性体とし、前記弾性体は、前記弾性体とケースで形成する第１の隙間と、前記弾性体と圧縮機の側部で形成される第２の隙間を有して前記ケースと前記圧縮機の側部間に設置され、前記第２の隙間は、接触部から下方へ離れるにつれて大きくなるように形成し、前記第１の隙間を上部に設け、前記第２の隙間を下部に設けた請求項１記載の洗濯機。
【請求項６】
防振手段は、可撓性を有するリング状の弾性体とし、前記弾性体は、前記弾性体とケースで形成する第１の隙間と、前記弾性体と圧縮機の側部で形成される第２の隙間を有して前記ケースと前記圧縮機の側部間に設置され、前記第２の隙間は、接触部から上方へ離れるにつれて大きくなるように形成し、前記第１の隙間を下部に設け、前記第２の隙間を上部に設けた請求項１記載の洗濯機。
【発明の詳細な説明】
【技術分野】
【０００１】
本発明は、洗濯物の洗濯および乾燥をおこなう洗濯機に関するものである。
【背景技術】
【０００２】
従来、この種の乾燥機能を備えた洗濯機は、洗濯物などの衣類を乾燥させる際に発生する水分を蒸発器（吸熱器）で回収し、回収した潜熱を圧縮機により高温の冷媒状態に変換し、凝縮器（放熱器）で空気を加熱するエネルギーとして利用できるヒートポンプを用いた洗濯機が考えられている（例えば、特許文献１参照）。
【０００３】
また、ヒートポンプは、圧縮機を防振材を介して台板上に支持することが考えられている（例えば、特許文献２参照）。図９は、前記特許文献２に記載された従来の圧縮機の支持構成を示したものである。圧縮機１は、防振材２を介して台板３上に設置されるとともに、圧縮機１の外郭の上部を囲むリング状緩衝材４を包持した円形帯状部５と、サイドパネル６に固定した固定用足状部７からなる振れ止め部材８により固定するようにしたものである。
【先行技術文献】
【特許文献】
【０００４】
【特許文献１】特開２００４−１３５７５４号公報
【特許文献２】実開昭６１−１１７１８４号公報
【発明の概要】
【発明が解決しようとする課題】
【０００５】
しかしながら、前記従来の構成では、次のような問題点があった。すなわち、圧縮機の外郭に隙間なく接触するリング状緩衝材を介してサイドパネル（本体）に圧縮機を支持する構成であるため、本体の振動吸収が不十分となり、本体の振動が振れ止め部材を伝わって圧縮機を振動させ、圧縮機に接続された冷媒循環用のパイプに応力が加わる。
【０００６】
特に、洗濯機の場合は、脱水運転の際、起動時の低速回転から、定常高速回転まで回転速度が変化し、これにともなって振動の大きさも変化する。また、ドラム内に収容した洗濯物が偏った状態で運転がおこなわれると、ドラムの回転によって本体に大きな振動が発生し、本体内に設置した圧縮機に接続した冷媒を循環させる金属製のパイプに大きな応力が作用する。
【０００７】
さらに、ドラム内に収容した洗濯物の偏りは、洗濯物の量や種類によってその都度変化し、発生する振動の大きさも一定でないことから、圧縮機にかかる大きさの異なる振動に対して対応することが難しいという問題があった。
【０００８】
本発明は、前記従来の課題を解決するもので、振動の変化に対応して冷媒循環パイプにかかる応力を軽減することができる洗濯機を提供することを目的とする。
【課題を解決するための手段】
【０００９】
前記従来の課題を解決するために、本発明の洗濯機は、ヒートポンプを収容するケースと圧縮機の側部の間に振動伝達を低減する防振手段を設け、前記防振手段の一部に隙間を設けたものである。
【００１０】
これによって、洗濯機外枠または圧縮機の振動の大きさによって防振手段の振動抑止力
を変えることができる。すなわち、洗濯機外枠または圧縮機の振動が小さい時は、振動がケースまたは圧縮機の側部と防振手段の間に設けた隙間に吸収されて伝達しにくくなり、洗濯機外枠または圧縮機の振動が大きい時は、隙間がなくなり防振手段の振動抑止力が大きくなって圧縮機の振れを抑制し、冷媒循環パイプに作用する応力を軽減して破損を防止することができる。
【発明の効果】
【００１１】
本発明の洗濯機は、洗濯機外枠または圧縮機の振動の大きさによって振動抑止力を変えることができ、冷媒循環パイプに作用する応力を軽減して破損を防止することができる。
【図面の簡単な説明】
【００１２】
【図１】本発明の実施の形態１における洗濯機の断面図
【図２】同洗濯機の要部断面図
【図３】本発明の実施の形態２における洗濯機の要部断面図
【図４】本発明の実施の形態３における洗濯機の要部断面図
【図５】本発明の実施の形態４における洗濯機の要部断面図
【図６】本発明の実施の形態５における洗濯機の要部断面図
【図７】本発明の実施の形態６における洗濯機の要部断面図
【図８】本発明の実施の形態７における洗濯機の要部断面図
【図９】従来のヒートポンプの要部の斜視図
【発明を実施するための形態】
【００１３】
第１の発明は、洗濯機外枠内に弾性支持された外槽と、前記外槽内に回転可能に設けられた洗濯兼脱水槽と、前記洗濯兼脱水槽を回転させる駆動手段と、前記洗濯兼脱水槽内の洗濯物を乾燥させる乾燥装置とを備え、前記乾燥装置は、圧縮機、吸熱器、放熱器、並びにこれらを連結する冷媒循環パイプを有するヒートポンプと、前記ヒートポンプを収容するケースを有し、前記ケースと前記圧縮機の側部の間に振動伝達を低減する防振手段を設け、前記防振手段の一部に隙間を設けたことにより、洗濯機外枠または圧縮機の振動の大きさによって防振手段の振動抑止力を変えることができる。すなわち、洗濯機外枠または圧縮機の振動が小さい時は、振動がケースまたは圧縮機の側部と防振手段の間に設けた隙間に吸収されて伝達しにくくなり、洗濯機外枠または圧縮機の振動が大きい時は、隙間がなくなり防振手段の振動抑止力が大きくなって圧縮機の振れを抑制し、冷媒循環パイプに作用する応力を小さくして破損を防止することができる。
【００１４】
第２の発明は、特に、第１の発明の防振手段は、可撓性を有するリング状の弾性体とし、前記弾性体は、内壁の一部に圧縮機の側部に接触する接触部を設け、前記接触部の長さを前記弾性体と前記圧縮機の側部で形成される隙間の長さより小さくしたことにより、洗濯機外枠または圧縮機の振動が小さい時は、接触している弾性体が少なくなるので確実に振動伝達を小さくすることができる。
【００１５】
第３の発明は、特に、第１の発明の防振手段は、可撓性を有するリング状の弾性体とし、前記弾性体は、上面に圧縮機またはケースの振動を吸収する凹部を全周に設けたことにより、圧縮機またはケースの振動が薄肉となった凹部で確実に吸収され、圧縮機の駆動振動による洗濯機外枠の振動を低減することができ、洗濯機外枠の振動を圧縮機に伝わりにくくすることができる。また、凹部は圧縮機の周側部を囲むように環状に形成し、リング状に形成した弾性体の全周に設けているので、水平方向の全方向の振動に対応してその効果を発揮することができる。
【００１６】
第４の発明は、特に、第１の発明の防振手段は、可撓性を有するリング状の弾性体とし、前記弾性体は、圧縮機の側部と接触する接触部を設け、前記接触部は、根元から先端に
いくにつれて薄く形成したことにより、圧縮機の上部が傾きながら振動してもその振動が小さい時は、振動伝達を小さくすることができ、大きい振動を確実に抑制することができる。
【００１７】
第５の発明は、特に、第１の発明の防振手段は、可撓性を有するリング状の弾性体とし、前記弾性体は、前記弾性体とケースで形成する第１の隙間と、前記弾性体と圧縮機の側部で形成される第２の隙間を有して前記ケースと前記圧縮機の側部間に設置され、前記第２の隙間は、接触部から下方へ離れるにつれて大きくなるように形成し、前記第１の隙間を上部に設け、前記第２の隙間を下部に設けたことにより、圧縮機の上部が傾きながら振動する時に、その振動の大きさに応じて抑止力を変えることができる。
【００１８】
第６の発明は、特に、第１の発明の防振手段は、可撓性を有するリング状の弾性体とし、前記弾性体は、前記弾性体とケースで形成する第１の隙間と、前記弾性体と圧縮機の側部で形成される第２の隙間を有して前記ケースと前記圧縮機の側部間に設置され、前記第２の隙間は、接触部から上方へ離れるにつれて大きくなるように形成し、前記第１の隙間を下部に設け、前記第２の隙間を上部に設けたことにより、圧縮機の上部が傾きながら振動してもその振動が小さい時は、振動伝達を確実に小さくすることができる。
【００１９】
以下、本発明の実施の形態について、図面を参照しながら説明する。なお、この実施の形態によって本発明が限定されるものではない。
【００２０】
（実施の形態１）
図１は、本発明の第１の実施の形態における洗濯機の断面図、図２は、同洗濯機の要部断面図である。
【００２１】
図１および図２において、洗濯機外枠３０は、３本のばね３１と、２本の減衰装置３２により外槽３３を弾性支持している。洗濯兼脱水槽３４は、外槽３３内に回転自在に配設している。モータ（駆動手段）３５は、外槽３３に取り付けたブラシレス直流モータから成り、インバータ制御され、回転速度を自在に変化させて洗濯兼脱水槽３４を直接回転させる。
【００２２】
給水手段３６は洗濯兼脱水槽３４内に給水するもので、水位検知手段（図示せず）により外槽３３内の洗濯水位を検知して所定量の洗濯水を貯留する。排水手段３８は、外槽３３内の洗濯水を排水するものである。制御装置３９は、洗濯機外枠３０の前面下部に設けられており、洗濯機外枠３０の前面上部に設けられた操作表示手段４０により入力された設定内容に基づいて洗い、すすぎ、脱水、乾燥の各工程を逐次制御するもので、パワースイッチング手段（図示せず）を介してモータ３５、給水手段３６、排水手段３８などを逐次制御する。
【００２３】
減衰装置３２は、オイルを作動流体とする粘性ダンパーで、脱水起動時の外槽３３の共振振動振幅を低減するものであり、洗濯機外枠の底部３０ａと外槽３３の底部３３ａの間に固定されている。脚３７はゴムなどの弾性材料で構成され、洗濯機外枠の底部３０ａの四隅に配置されている。
【００２４】
ヒートポンプ４１ａの圧縮機４２を作動させることにより、冷媒が圧縮機４２、放熱器４３、吸熱器４４を冷媒循環パイプ４５を通って循環する。放熱器４３では冷媒の凝縮で熱が放出され、吸熱器４４では冷媒の蒸発で熱が吸収される。送風手段４６の送風と放熱器４３の熱の放出により、給気ダクト４８、給気口４９を通して洗濯兼脱水槽３４内へ乾いた温風を送り込み、駆動手段３５を駆動させ、洗濯兼脱水槽３４を回転させることで、衣類等の洗濯物を上下に入れ替えながら、衣類を乾燥させる。
【００２５】
洗濯兼脱水槽３４へ送り込まれた温風は、これら衣類の隙間を通るときに衣類から水分を奪い、湿った状態で洗濯兼脱水槽３４から外槽３３の内側へと抜け、さらに排気口５０を通過して排気ダクト５１に至る。そして、排気フィルター５２によりリントが除去された湿った温風は、吸熱器４４を通過する際に顕熱と潜熱を吸熱され、冷却除湿された空気と結露水とに分離される。
【００２６】
冷却除湿された空気は、放熱器４４を通り、乾いた温風となって再び洗濯兼脱水槽３４内に送られる。上記構成により乾燥用空気を循環させて乾燥装置４１を構成している。ケース５３は、ヒートポンプ４１ａと、送風手段４６を収納している。圧縮機４２はケース５３内の底部に設けた防振ゴム４７の上に載置されている。
【００２７】
ケース５３と圧縮機４２の側部４２ａの間には、防振手段５４が隙間５５を有して設置され、圧縮機４２の横方向（水平方向）を支持している。防振手段５４は、ブチルゴム等の損失係数が大きいゴム製でリング状に形成され、内壁に圧縮機４２の側部４２ａと接触する接触部５４ａが形成されている。隙間５５は接触部５４ａの下側または上側のいずれか一方、またはその両方に設けている。
【００２８】
以上のように構成された洗濯機において、以下その動作、作用を説明する。まず、洗濯兼脱水槽３４内に衣類と洗剤を投入後、操作表示手段４０を操作して運転を開始する。これによって、給水手段３６が動作し、洗濯兼脱水槽３４内に洗濯水が供給されるとともに洗濯兼脱水槽３４も回転を開始する。規定量の洗濯水が供給されると給水手段３６は給水を停止する。
【００２９】
洗濯兼脱水槽３４の回転によって、洗剤は洗濯水に溶かされ、洗濯液となって衣類に浸透する。洗濯兼脱水槽３４は、３０〜５０ｒ／ｍｉｎの低速で回転して、衣類を持ち上げては落とすという、たたき洗いを規定時間行う。洗濯終了後、排水手段３８が作動し、汚れを溶かし込んだ洗濯水は、外槽３３の外に排水される。排水終了後、洗濯兼脱水槽３４の回転は徐々に速くなり脱水工程に入る。
【００３０】
脱水起動後、洗濯兼脱水槽３４の回転数が上昇して３００ｒ／ｍｉｎ近傍になると、外槽３３が共振し、外槽３３が大きく振動する。その振動が洗濯機外枠３０を介してケース５３に伝わる。この時、ケース５３の振動は、防振手段５４と防振ゴム４７によって吸収され、圧縮機４２が大きく振れることはない。
【００３１】
更に、洗濯兼脱水槽３４の回転数が上昇して６００ｒ／ｍｉｎ近傍になると洗濯機外枠３０が共振し、洗濯機外枠３０が大きく振動する。この時も洗濯機外枠３０の振動がケース５３に伝わるが、防振手段５４と防振ゴム４７によって吸収され、圧縮機４２が大きく振れることはない。
【００３２】
定常回転数である９００ｒ／ｍｉｎに達すると、洗濯機外枠３０は小さく振動しそれに伴ってケース５３も小さく振動するが、防振手段５４により完全に吸収され圧縮機４２が振動することはない。定常回転での脱水は１５分程続くが、圧縮機４２が振動しないため、冷媒循環パイプ４５にも振動による応力が発生せず、冷媒循環パイプ４５が破損することはない。
【００３３】
乾燥工程において圧縮機４２が駆動する。駆動直後は共振のため圧縮機４２は大きく振動するが、接触部５４ａがつぶされて隙間５５が小さくなり、防振手段５４は、圧縮機４２の側部４２ａと接触する接触部５４ａの接触面積が大きくなって、防振手段５４の振動抑止力も大きくなり、圧縮機４２の大きな横揺れを抑制するので冷媒循環パイプ４５に大
きな応力は発生しない。
【００３４】
また、定常運転になると圧縮機４２は小さく振動する。このとき、隙間５５を設けているので圧縮機４２の側部４２ａと接触する接触部５４ａの接触面積は少なく、振動抑止力は弱いが振動伝達は小さくなるので、防振手段５４がその振動を吸収し、ケース５３を介して洗濯機外枠３０に伝わるのを防止することができ、乾燥工程中の洗濯機外枠３０の振動はなくなり、振動による騒音も発生しない。
【００３５】
以上のように本実施の形態においては、ヒートポンプ４１ａを収納するケース５３と圧縮機４２の側部４２ａの間に振動伝達を低減する防振手段５４を設けるとともに、側部４２ａとの間の一部に隙間５５を設けたものであり、これによって、洗濯機外枠３０または圧縮機４２の振動の大きさに応じて防振手段５４の振動抑止力を変えることができる。
【００３６】
すなわち、洗濯機外枠３０または圧縮機４２の振動が小さい時は、振動がケース５３または圧縮機４２の側部４２ａと防振手段５４との間に設けた隙間５５に吸収されて伝達しにくくなる。また、洗濯機外枠３０または圧縮機４２の振動が大きい時は、隙間５５がなくなり、圧縮機４２の側部４２ａと接触する接触部５４ａの接触面積が大きくなる。したがって、防振手段５４の振動抑止力が大きくなって圧縮機４２の振れを抑制して冷媒循環パイプ４５の破損を防止することができる。
【００３７】
（実施の形態２）
図３は、本発明の第２の実施の形態の洗濯機の要部断面図である。本実施の形態の特徴は、防振手段５４は、可撓性を有するリング状の弾性体５４ｂで構成している。弾性体５４ｂの内壁の一部に圧縮機４２の側部４２ａと接触する接触部５４ａを設けている。接触部５４ａの上下方向の長さ寸法Ａ、弾性体５４ｂと圧縮機４２の側部４２ａで形成される隙間５５の上下方向の長さ寸法Ｂの関係を、Ａ＜Ｂに設定している。他の構成は実施の形態１と同じであり、同一の符号をして詳細な説明は実施の形態１のものを援用する。
【００３８】
上記構成によれば、洗濯機外枠３０または圧縮機４２の振動が小さい時は、弾性体５４ｂの撓みが少ないので接触部５４ａは小さく、圧縮機４２の揺れの抑止力は小さいが振動伝達も小さくすることができる。また、洗濯機外枠３０または圧縮機４２の振動が大きい時は、弾性体５４ｂの撓みも多くなり隙間５５がなくなって接触部５４ａは大きくなる。それにともなって圧縮機４２の揺れの抑止力も大きくなり、圧縮機４２の揺れは抑止され、冷媒循環パイプ４５にかかる応力が小さくなるので、冷媒循環パイプ４５の破損を防止することができる。
【００３９】
（実施の形態３）
図４は、本発明の第３の実施の形態の洗濯機の要部断面図である。本実施の形態の特徴は、防振手段５４は、可撓性を有するリング状の弾性体５４ｂで構成している。弾性体５４ｂの上面５４ｃに環状の凹部５４ｄを全周に設け、接触部５４ａの外側で弾性体５４ｂの一部を薄くしている。他の構成は実施の形態１と同じであり、同一の符号をして詳細な説明は実施の形態１のものを援用する。
【００４０】
上記構成によれば、圧縮機４２またはケース５３の振動が小さい時は、凹部５４ｄが変形して振動を低減し、振動が大きくなると凹部５４ｄがつぶれて弾性体５４ｂの振動抑止力が大きくなり、圧縮機４２の揺れを小さくすることができる。
【００４１】
（実施の形態４）
図５は、本発明の第４の実施の形態の洗濯機の要部断面図である。本実施の形態の特徴は、防振手段５４は、可撓性を有するリング状の弾性体５４ｂで形成している。弾性体５
４ｂは圧縮機４２の側部４２ａと接触する接触部５４ａを有している。接触部５４ａは根元５４ｅから先端５４ｆにいくにつれて薄くなるように、外周側面を圧縮機４２の側部４２ａ側へ傾斜させて形成している。他の構成は実施の形態１と同じであり、同一の符号をして詳細な説明は実施の形態１のものを援用する。
【００４２】
上記構成によれば、圧縮機４２の上部４２ｂが傾きながら振動しても、その振動が小さい時は、振動伝達を小さくすることができ、大きい振動は、接触部５４ａが厚くなるので振動抑止力が大きくなり、圧縮機４２の揺れを確実に抑制することができる。
【００４３】
（実施の形態５）
図６は、本発明の第５の実施の形態の洗濯機の要部断面図である。本実施の形態の特徴は、防振手段５４は、可撓性を有するリング状の弾性体５４ｂで形成している。弾性体５４ｂとケース５３で形成する第１の隙間５５ａと、弾性体５４ｂと圧縮機の側部４２ａで形成される第２の隙間５５ｂを有している。第２の隙間５５ｂは、接触部５４ａから下方へ離れるにつれて大きくなるように形成し、第１の隙間５５ａを上部に設け、第２の隙間５５ｂを下部に設けている。他の構成は実施の形態１と同じであり、同一の符号をして詳細な説明は実施の形態１のものを援用する。
【００４４】
上記構成によれば、圧縮機４２またはケース５３の振動が小さい時は、接触部５４ａの大きさが小さくなり、振動が大きくなると、接触部５４ａが変形して圧縮機４２の側部４２ａと接触部５４ａの接触面積が大きくなるので、圧縮機４２の上部４２ｂが傾きながら振動する時に、その振動の大きさに応じて抑止力を最適に変えることができる。
【００４５】
（実施の形態６）
図７は、本発明の第６の実施の形態の洗濯機の要部断面図である。本実施の形態の特徴は、防振手段５４は、可撓性を有するリング状の弾性体５４ｂで形成している。弾性体５４ｂとケース５３で形成する第１の隙間５５ａと、弾性体５４ｂと圧縮機４２の側部４２ａで形成される第２の隙間５５ｂを有している。第２の隙間５５ｂは、接触部５４ａから上方へ離れるにつれて大きくなるように形成し、第１の隙間５５ａを下部に設け、第２の隙間５５ｂを上部に設けている。他の構成は実施の形態１と同じであり、同一の符号をして詳細な説明は実施の形態１のものを援用する。
【００４６】
上記構成によれば、圧縮機４２またはケース５３の振動が小さい時は、接触部５４ａの大きさが小さいまま維持され、振動が大きくなると、接触部５４ａが変形して圧縮機４２の側部４２ａと接触部５４ａの接触面積が徐々に大きくなるので、圧縮機４２の上部４２ｂが傾きながら振動する時に、その振動の大きさに応じて抑止力を最適に変えることができる。
【００４７】
（実施の形態７）
図８は、本発明の第７の実施の形態の洗濯機の断面図である。本実施の形態の特徴は、乾燥装置４１を洗濯機外枠３０内の上部に設置したものである。他の構成は実施の形態１と同じであり、同一の符号をして詳細な説明は実施の形態１のものを援用する。
【００４８】
上記構成によれば、乾燥装置４１の点検等のメンテナンスを洗濯機外枠３０の上方から容易におこなうことができる。なお、本実施の形態は、前記本実施の形態１〜６のいずれにも適用することができ、同様の作用効果が得られるものである。
【産業上の利用可能性】
【００４９】
以上のように、本発明にかかる洗濯機は、洗濯機外枠または圧縮機の振動の大きさによって振動抑止力を変えることができ、冷媒循環パイプに作用する応力を軽減して破損を防
止することができるので、洗濯機として有用である。
【符号の説明】
【００５０】
３３  外槽
３４  洗濯兼脱水槽
３５  駆動手段
４１  乾燥装置
４１ａ  ヒートポンプ
４２  圧縮機
４２ａ  側部
４３  放熱器
４４  吸熱器
４５  冷媒循環パイプ
５３  ケース
５４  防振手段
５５  隙間
【図１】
2011167223.tif 000003
【図２】
2011167223.tif 000004
【図３】
2011167223.tif 000005
【図４】
2011167223.tif 000006
【図５】
2011167223.tif 000007
【図６】
2011167223.tif 000008
【図７】
2011167223.tif 000009
【図８】
2011167223.tif 000010
【図９】
2011167223.tif 000011